(57)【要約】【課題】  電話回線を使用したファクシミリ通信のオプション機能が設定された通信相手先には電話回線を使用したファクシミリ通信によって画像送信を行い、電話回線を使用したファクシミリ通信のオプション機能が設定されていない通信相手先にはＥＮＵＭ技術を使用した通信によって画像送信を行う通信装置、通信システム、および通信プログラムを提供する。【解決手段】  操作／表示部６０で受け付けた送信指示にオプション機能が設定されていない場合にはＤＮＳ処理部９０がＤＮＳサーバ７より取得した通信相手のアドレスにインターネットファクシミリ通信が行われ、オプション機能が設定されている場合にはＦａｘ部８０より公衆電話回線網２が使用されたオプション機能のファクシミリ通信が行われるように情報通信装置１を構成する。【選択図】  図１
2008193200.tif 000002
【特許請求の範囲】
【請求項１】
画像情報の送信指示を受け付ける受付手段と、
前記受付手段で受け付けた送信指示に前記画像情報を電話回線網を介して送信する際に用いる固有制御情報が含まれているか否かを判別する判別手段と、
前記判別手段により前記固有制御情報が含まれていないと判別された場合は、前記電話回線網上の第１の宛先情報に対応して特定の通信規約に基づく通信網上の第２の宛先情報を対応付けて記憶する記憶装置から前記送信指示に含まれる宛先情報で特定される前記第１の宛先情報に対応する第２の宛先情報を取得する取得手段と、
前記取得手段で取得した第２の宛先情報を指定して前記特定の通信規約に基づく通信網を介して前記画像情報を送信するように制御する第１の送信制御手段と、
前記判別手段により前記固有制御情報が含まれていると判別された場合は、前記固有制御情報および前記第１の宛先情報を指定して前記電話回線網を介して前記画像情報を送信するように制御する第２の送信制御手段と
を具備する通信装置。
【請求項２】
前記第２の送信制御手段は、前記電話回線を介したファクシミリ通信であり、
前記第１の送信制御手段は、インターネットファクシミリ通信である
ことを特徴とする請求項１記載の通信装置。
【請求項３】
前記画像情報を電話回線網を介して送信する際に用いる固有制御情報は、ファクシミリプロトコルで指示される制御情報である
ことを特徴とする請求項２記載の通信装置。
【請求項４】
前記ファクシミリプロトコルで指示される制御情報は、中継送信指示、親展通信指示、パスワード通信指示、送信先部数指定指示、の１または複数の指示である
ことを特徴とする請求項３記載の通信装置。
【請求項５】
前固有記制御情報を前記第１の宛先情報に対応する短縮電話番号に対応して記憶する記憶手段
を具備し、
前記判別手段は、
前記受付手段により受け付けた送信指示に含まれる宛先情報が前記短縮電話番号である場合は、前記記憶手段に該短縮電話番号に対応して前記固有制御情報が記憶されているかに基づき前記送信指示に前記固有制御情報が含まれているか否かを判別する請求項１記載の通信装置。
【請求項６】
前記判別手段は、
前記受付手段で受け付けた送信指示に複数の宛先に前記画像情報を送信する指示が含まれている場合は、該宛先毎に前記固有制御情報が含まれているか否かを判別し、
前記判別手段により前記固有制御情報が含まれていないと判別された宛先に対しては前記第１の送信制御手段により前記画像情報の送信を制御し、前記固有制御情報が含まれていると判別された宛先に対しては前記第２の送信制御手段により前記画像情報の送信を制御する請求項１または５記載の通信装置。
【請求項７】
画像情報の送信を行う第１端末と、
前記第１の端末と電話回線網および特定の通信規約に基づく通信網を介して接続され、前記第１の端末から送信された画像情報を受信する第２の端末と、
前記電話回線網上の第１の宛先情報に対応して特定の通信規約に基づく通信網上の第２の宛先情報を対応付けて記憶する記憶装置と
を具備し、
前記第１の端末は、
前記画像情報の送信指示を受け付ける受付手段と、
前記受付手段で受け付けた送信指示に前記画像情報を電話回線網を介して送信する際に用いる固有制御情報が含まれているか否かを判別する第１の判別手段と、
前記第１の判別手段により前記固有制御情報が含まれていないと判別された場合は、前記記憶装置から前記送信指示に含まれる宛先情報で特定される前記第１の宛先情報に対応する第２の宛先情報を取得する取得手段と、
前記取得手段で取得した第２の宛先情報を指定して前記特定の通信網を介して前記画像情報を前記第２の端末へ送信するように制御する第１の送信制御手段と、
前記第１の判別手段により前記固有制御情報が含まれていると判別された場合は、前記固有制御情報および前記第１の宛先情報を指定して前記電話回線網を介して前記画像情報を前記第２の端末へ送信するように制御する第２の送信制御手段と
を具備する通信システム。
【請求項８】
前記第１の端末からの中継指示に基づき伝送を前記第１の端末から送信された画像情報を中継して前記第２の端末へ送信する中継装置
を具備し、
前記中継装置は、
前記画像情報の中継指示を受け付ける中継指示受付手段と、
前記中継指示受付手段で受け付けた中継指示に電話回線網を介して前記画像情報を送信する際に用いる固有制御情報が含まれているか否かを判別する第２の判別手段と、
前記第２の判別手段により前記固有制御情報が含まれていないと判別された場合は、前記記憶装置から前記中継指示に含まれる宛先情報で特定される前記第１の宛先情報に対応する第２の宛先情報を取得する第２の宛先情報取得手段と、
前記第２の宛先情報取得手段で取得した第２の宛先情報を指定して前記特定の通信網を介して前記中継画像情報を前記第２の端末へ送信するように制御する第３の送信制御手段と、
前記第２の判別手段により前記固有制御情報が含まれていると判別された場合は、前記固有制御情報および前記第１の宛先情報を指定して前記電話回線網を介して前記中継画像情報を前記第２の端末へ送信するように制御する第４の送信制御手段と
を具備する請求項７記載の通信システム。
【請求項９】
前記第２の判別手段は、
前記中継指示受付手段で受け付けた中継指示に複数の宛先に前記中継画像情報を送信する指示が含まれている場合は、該宛先毎に前記固有制御情報が含まれているか否かを判別し、
前記第２の判別手段により前記固有制御情報が含まれていないと判別された宛先に対しては前記第３の送信制御手段により前記中継画像情報の送信を制御し、前記固有制御情報が含まれていると判別された宛先に対しては前記第４の送信制御手段により前記中継画像情報の送信を制御する請求項７または８記載の通信システム。 
【請求項１０】
画像情報の送信指示を受け付け、
前記受け付けた送信指示に前記画像情報を電話回線網を介して送信する際に用いる固有制御情報が含まれているか否かを判別する判別手段と、
前記判別手段により前記固有制御情報が含まれていないと判別された場合は、前記電話回線網上の第１の宛先情報に対応して特定の通信規約に基づく通信網上の第２の宛先情報を対応付けて記憶する記憶装置から前記送信指示に含まれる宛先情報で特定される前記第１の宛先情報に対応する第２の宛先情報を取得する取得手段と、
前記取得手段で取得した第２の宛先情報を指定して前記特定の通信規約に基づく通信網を介して前記画像情報を送信するように制御する第１の送信制御手段と、
前記判別手段により前記固有制御情報が含まれていると判別された場合は、前記固有制御情報および前記第１の宛先情報を指定して前記電話回線網を介して前記画像情報を送信するように制御する第２の送信制御手段と
して機能するよう、コンピュータを動作させる通信プログラム。
【発明の詳細な説明】
【技術分野】
【０００１】
本発明は、通信装置、通信システム、および通信プログラムに関する。
【背景技術】
【０００２】
近年、インターネット等のネットワーク技術やネットワークを介して行う通信のプロトコル、装置等の普及に伴い、公衆網電話回線網を介した通信に比べ比較的通信コストが安価なネットワーク通信が利用されている。
【０００３】
また、ひとつの通信装置で公衆網電話回線網とネットワークとを介した情報通信を可能とするような通信装置も提供されている。
【０００４】
そこで、ひとつの装置で公衆網電話回線とネットワークとを介した情報通信を可能とするような通信装置において、電話番号をキーとしてＤＮＳ(Domain Name System)を検索することにより、通信相手の通信手段とアドレスに関して複数の通信手段を持った通信相手の複数のアドレスを得ることができるＥＮＵＭ(tElephone NUmber Mapping)と呼ばれる技術が提案されている。
【０００５】
このＥＮＵＭ技術は、ＩＴＵ−ＴによるＥ．１６４勧告に基づく電話番号をＥＮＵＭ形式のドメイン名に変換し、変換したドメイン名をＥＮＵＭサーバであるＤＮＳサーバに送って問い合わせることにより、通信相手が利用可能な通信手段と該通信手段に対応付けられたアドレス情報をＵＲＩ(Uniform Resource Identifiers)形式で得ることが可能である。
【０００６】
このＥＮＵＭ技術を利用して通信相手の通信手段として、複数の通信手段が得られた場合には、料金の安い通信手段を自動的に選択するようにし、公衆電話網を使用したファクシミリ通信でなくインターネットを使用したインターネットファクシミリ通信による画像送信が行われるようにすることができる。
【０００７】
しかしながら、公衆電話回線網を利用したファクシミリ通信には、インターネットファクシミリ通信にはない数々のオプション機能が備わっており、ユーザはそのオプション機能を使用した画像送信を望む場合もある。
【０００８】
特許文献１では、送信者が送信時に通信相手の通信装置の能力情報を蓄積したＤＮＳサーバを呼び出して通信相手装置の能力情報を読み出し、その能力情報に基づいて送信データのフォーマットを変換して画像送信する通信方法、通信装置およびサーバが提案されている。
【特許文献１】特開２０００−２６１５９７号公報
【発明の開示】
【発明が解決しようとする課題】
【０００９】
本発明は、受付手段で受け付けた送信指示に画像情報を電話回線網を介して送信する際に用いる固有制御情報が含まれているか否かを判別し、
固有制御情報が含まれていないと判別された場合は、特定の通信規約に基づく通信網を介して画像情報を送信し、
固有制御情報が含まれていると判別された場合は、電話回線網を介して画像情報を送信するように制御する通信装置、通信システム、および通信プログラムを提供することを目的とする。
【課題を解決するための手段】
【００１０】
上記目的を達成するために、請求項１の発明の通信装置は、画像情報の送信指示を受け付ける受付手段と、前記受付手段で受け付けた送信指示に前記画像情報を電話回線網を介して送信する際に用いる固有制御情報が含まれているか否かを判別する判別手段と、前記判別手段により前記固有制御情報が含まれていないと判別された場合は、前記電話回線網上の第１の宛先情報に対応して特定の通信規約に基づく通信網上の第２の宛先情報を対応付けて記憶する記憶装置から前記送信指示に含まれる宛先情報で特定される前記第１の宛先情報に対応する第２の宛先情報を取得する取得手段と、前記取得手段で取得した第２の宛先情報を指定して前記特定の通信規約に基づく通信網を介して前記画像情報を送信するように制御する第１の送信制御手段と、前記判別手段により前記固有制御情報が含まれていると判別された場合は、前記固有制御情報および前記第１の宛先情報を指定して前記電話回線網を介して前記画像情報を送信するように制御する第２の送信制御手段とを具備するように構成される。
【００１１】
また、請求項２の発明は、請求項１の発明において、前記第２の送信制御手段は、前記電話回線を介したファクシミリ通信であり、前記第１の送信制御手段は、インターネットファクシミリ通信であることを特徴とする。
【００１２】
また、請求項３の発明は、請求項２の発明において、前記画像情報を電話回線網を介して送信する際に用いる固有制御情報は、ファクシミリプロトコルで指示される制御情報であることを特徴とする。
【００１３】
また、請求項４の発明は、請求項３の発明において、前記ファクシミリプロトコルで指示される制御情報は、中継送信指示、親展通信指示、パスワード通信指示、送信先部数指定指示、の１または複数の指示であることを特徴とする。
【００１４】
また、請求項５の発明は、請求項１の発明において、前固有記制御情報を前記第１の宛先情報に対応する短縮電話番号に対応して記憶する記憶手段を具備し、前記判別手段は、前記受付手段により受け付けた送信指示に含まれる宛先情報が前記短縮電話番号である場合は、前記記憶手段に該短縮電話番号に対応して前記固有制御情報が記憶されているかに基づき前記送信指示に前記固有制御情報が含まれているか否かを判別するように構成される。
【００１５】
また、請求項６の発明は、請求項１または５記載の発明において、前記判別手段は、前記受付手段で受け付けた送信指示に複数の宛先に前記画像情報を送信する指示が含まれている場合は、該宛先毎に前記固有制御情報が含まれているか否かを判別し、前記判別手段により前記固有制御情報が含まれていないと判別された宛先に対しては前記第１の送信制御手段により前記画像情報の送信を制御し、前記固有制御情報が含まれていると判別された宛先に対しては前記第２の送信制御手段により前記画像情報の送信を制御するように構成される。
【００１６】
また、請求項７の発明の通信システムは、画像情報の送信を行う第１端末と、前記第１の端末と電話回線網および特定の通信規約に基づく通信網を介して接続され、前記第１の端末から送信された画像情報を受信する第２の端末と、前記電話回線網上の第１の宛先情報に対応して特定の通信規約に基づく通信網上の第２の宛先情報を対応付けて記憶する記憶装置とを具備し、前記第１の端末は、前記画像情報の送信指示を受け付ける受付手段と、前記受付手段で受け付けた送信指示に前記画像情報を電話回線網を介して送信する際に用いる固有制御情報が含まれているか否かを判別する第１の判別手段と、前記第１の判別手段により前記固有制御情報が含まれていないと判別された場合は、前記記憶装置から前記送信指示に含まれる宛先情報で特定される前記第１の宛先情報に対応する第２の宛先情報を取得する取得手段と、前記取得手段で取得した第２の宛先情報を指定して前記特定の通信網を介して前記画像情報を前記第２の端末へ送信するように制御する第１の送信制御手段と、前記第１の判別手段により前記固有制御情報が含まれていると判別された場合は、前記固有制御情報および前記第１の宛先情報を指定して前記電話回線網を介して前記画像情報を前記第２の端末へ送信するように制御する第２の送信制御手段とを具備するように構成される。
【００１７】
また、請求項８の発明は、請求項７の発明において、前記第１の端末からの中継指示に基づき伝送を前記第１の端末から送信された画像情報を中継して前記第２の端末へ送信する中継装置を具備し、前記中継装置は、前記画像情報の中継指示を受け付ける中継指示受付手段と、前記中継指示受付手段で受け付けた中継指示に電話回線網を介して前記画像情報を送信する際に用いる固有制御情報が含まれているか否かを判別する第２の判別手段と、前記第２の判別手段により前記固有制御情報が含まれていないと判別された場合は、前記記憶装置から前記中継指示に含まれる宛先情報で特定される前記第１の宛先情報に対応する第２の宛先情報を取得する第２の宛先情報取得手段と、前記第２の宛先情報取得手段で取得した第２の宛先情報を指定して前記特定の通信網を介して前記中継画像情報を前記第２の端末へ送信するように制御する第３の送信制御手段と、前記第２の判別手段により前記固有制御情報が含まれていると判別された場合は、前記固有制御情報および前記第１の宛先情報を指定して前記電話回線網を介して前記中継画像情報を前記第２の端末へ送信するように制御する第４の送信制御手段とを具備するように構成される。
【００１８】
また、請求項９の発明は、請求項７または８の発明において、前記第２の判別手段は、前記中継指示受付手段で受け付けた中継指示に複数の宛先に前記中継画像情報を送信する指示が含まれている場合は、該宛先毎に前記固有制御情報が含まれているか否かを判別し、前記第２の判別手段により前記固有制御情報が含まれていないと判別された宛先に対しては前記第３の送信制御手段により前記中継画像情報の送信を制御し、前記固有制御情報が含まれていると判別された宛先に対しては前記第４の送信制御手段により前記中継画像情報の送信を制御するように構成される。
【００１９】
また、請求項１０の発明は、画像情報の送信指示を受け付け、前記受け付けた送信指示に前記画像情報を電話回線網を介して送信する際に用いる固有制御情報が含まれているか否かを判別する判別手段と、前記判別手段により前記固有制御情報が含まれていないと判別された場合は、前記電話回線網上の第１の宛先情報に対応して特定の通信規約に基づく通信網上の第２の宛先情報を対応付けて記憶する記憶装置から前記送信指示に含まれる宛先情報で特定される前記第１の宛先情報に対応する第２の宛先情報を取得する取得手段と、前記取得手段で取得した第２の宛先情報を指定して前記特定の通信規約に基づく通信網を介して前記画像情報を送信するように制御する第１の送信制御手段と、前記判別手段により前記固有制御情報が含まれていると判別された場合は、前記固有制御情報および前記第１の宛先情報を指定して前記電話回線網を介して前記画像情報を送信するように制御する第２の送信制御手段として機能するよう、コンピュータを動作させる通信プログラムである。
【発明の効果】
【００２０】
請求項１の発明によれば、受け付けた送信指示に画像情報を電話回線網を介して送信する際に用いる固有制御情報が含まれている場合は、電話回線網を介して画像情報を送信するように制御することができる。
【００２１】
また、請求項２の発明によれば、受け付けた送信指示に画像情報を電話回線を介して送信する際に用いる固有制御情報が含まれている場合には、電話回線を介したファクシミリ通信によって画像情報を送信するように制御することができる。
【００２２】
また、請求項３の発明によれば、受け付けた送信指示にファクシミリプロトコルで指示される制御情報が含まれている場合には、電話回線を介して画像情報を送信するように制御することができる。
【００２３】
また、請求項４の発明によれば、受け付けた送信指示に中継送信指示、親展通信指示、パスワード通信指示、送信先部数指定指示、の１または複数の指示が含まれている場合には、電話回線を介して画像情報を送信するように制御することができる。
【００２４】
また、請求項５の発明によれば、受け付けた送信指示に含まれる宛先情報が短縮電話番号であって、短縮電話番号に対応して画像情報を電話回線網を介して送信する際に用いる固有制御情報が記憶されている場合は、電話回線網を介して画像情報を送信するように制御することができる。
【００２５】
また、請求項６の発明によれば、同報通信の場合でもそれぞれの通信相手に対して送信指示に画像情報を電話回線網を介して送信する際に用いる固有制御情報が記憶されている場合は、電話回線網を介して画像情報を送信するように制御することができる。
【００２６】
また、請求項７の発明によれば、画像情報を電話回線網を介して送信する際に用いる固有制御情報を使用して送信するように制御することができる。
【００２７】
また、請求項８の発明によれば、送信端末から受信端末への画像送信を中継する中継装置において、画像情報を電話回線網を介して送信する際に用いる固有制御情報を使用して送信するように制御することができる。
【００２８】
また、請求項９の発明によれば、中継同報通信の場合でもそれぞれの通信相手に対して受け付けた送信指示に画像情報を電話回線網を介して送信する際に用いる固有制御情報が含まれている場合には、画像情報を電話回線網を介して送信する際に用いる固有制御情報を使用して送信するように制御することができる。
【００２９】
また、請求項１０の発明によれば、受け付けた送信指示に画像情報を電話回線網を介して送信する際に用いる固有制御情報が含まれている場合には、電話回線網を介して画像情報を送信するように制御することができる。
【発明を実施するための最良の形態】
【００３０】
以下、本発明に係わる通信装置、通信システム、および通信プログラムの実施例について添付図面を参照して詳細に説明する。
【００３１】
図１は本発明の情報通信装置の一例である情報通信装置１の構成を示すブロック図である。
【００３２】
図１において、情報通信装置１は、構内電話回線４及び構内交換機３を介して公衆電話回線網２と接続され、また、構内ネットワーク５を介してインターネット６（請求項１、７、１０に記載の特定の通信規約に基づく通信網に対応する）と接続されている。
【００３３】
情報通信装置１は、インターネットファクシミリ通信とは異なる公衆電話回線網２を使用したファクシミリ通信により画像送信を行うことができる（請求項１、２、６、７、１０に記載の第２の送信制御手段による画像送信に対応する）。
【００３４】
また、情報通信装置１と接続されるインターネット６には、ＥＮＵＭ技術でＥＮＵＭサーバとして利用されるＤＮＳサーバ７が接続されている。
【００３５】
そして、情報通信装置１は、ＤＮＳサーバ７と情報をやり取りしＥＮＵＭ技術を使用した通信により画像送信を行うことができる（請求項１、２、６、７、１０に記載の第１の送信制御手段による画像送信に対応する）。
【００３６】
ＥＮＵＭ技術を使用した通信では、インターネット６を使用したインターネットファクシミリ通信による画像送信も行われる。
【００３７】
ここで言うＥＮＵＭとは、ＩＴＵ−ＴのＥ．１６４勧告に基づく電話番号（請求項１、５、７、８、１０に記載の第１の宛先情報に対応する）をキーとしてＤＮＳサーバ７に登録されたＮＡＰＴＥＲ(Naming Authority PionTER)−ＲＲ(ResorceRecord)を検索し、Ｅ．１６４勧告に基づく電話番号に対応するひとつまたは複数のアプリケーションをＵＲＩ形式で得る機構である。
【００３８】
具体的には、Ｅ．１６４勧告に基づく電話番号（第１の宛先情報）をＥＮＵＭ形式のドメイン名に変換し、ＥＮＵＭ形式のドメイン名に対応付けられたひとつまたは複数の通信手段、当該通信手段で通信する場合のアドレス情報（請求項１、７、８、１０に記載の第２の宛先情報に対応する）等をＵＲＩ形式で得るシステムである。
【００３９】
なお、ここで言うＵＲＩとは、インターネット上の各種情報リソースにアクセスする手段と場所を指定する記述様式であるＵＲＬ(Uniform Resource Locator)を拡張した記述様式で抽象的な資源あるいは場所で指定された資源を識別する簡潔な文字列を示す。
【００４０】
また、ＮＡＰＴＥＲ−ＲＲは、電話番号に基づくドメイン名に対応付けられた通信種別、例えば通信プロトコル等の種別や通信相手のアドレス等の情報を記録したものであり、詳細は後述する。
【００４１】
ＥＮＵＭにより、ひとつのＥ．１６４に基づく電話番号をインターネット６上の利用可能なひとつまたは複数のアプリケーションに対応付けることができることから、Ｅ．１６４に基づく電話番号に対する電話以外の通信手段を統合的に提供することが可能となった。
【００４２】
情報通信装置１は、通信相手のＥ．１６４に基づく電話番号に基づきＤＮＳサーバ７に登録された通信相手の端末装置が利用可能な通信手段及びアドレス等の情報が記録されたＮＡＰＴＲ−ＲＲ情報を参照し、通信相手の端末装置に相応しいアプリケーションを起動して通信相手の端末装置と通信を行うことを可能にする。
【００４３】
具体的には、インターネット６と接続された通信相手と情報通信を行いたい場合は、通信相手の電話番号に対応付けられたドメイン名に基づきＤＮＳサーバ７に問い合わせを行い、ＤＮＳサーバ７からドメイン名に対応付けられたＮＡＰＴＲ−ＲＲ情報を取得して通信相手のひとつまたは複数のアプリケーションをＵＲＩ形式で得る。
【００４４】
例えば、ＮＡＰＴＲ−ＲＲ情報に基づき、「ｓｉｐ：ｉｎｆｏ＠ｎｉｃ．ａｄ．ｊｐ」というＵＲＩを得たとすると、これによりアプリケーションプログラムは、「ｓｉｐ：ｉｎｆｏ＠ｎｉｃ．ａｄ．ｊｐ」に対してＳＩＰを用いて通信相手の端末装置とのセッションを確立することが可能であることを認識することができる。
【００４５】
このような情報通信が可能な情報通信装置１の構成要素について図１を参照して詳細に説明する。
【００４６】
情報通信装置１は、バス１０に、システム制御部２０、スキャナ部３０、画像蓄積部４０、プリンタ部５０、操作／表示部６０、ＲＡＭ(Random Access Memory)７０、Ｆａｘ部８０、ＤＮＳ処理部９０、トランスポートプロトコル処理部１００、電子メールＩＦａｘ部１１０、リアルタイムＩＦａｘ部が接続されて構成される。
【００４７】
また、Ｆａｘ部８０、ＤＮＳ処理部９０、トランスポートプロトコル処理部１００、電子メールＩＦａｘ部１１０、リアルタイムＩＦａｘ部１２０は、情報通信装置１内のＴＣＰ(Transmission Control Protocol)／ＵＤＰ(User Datagram Protocol)／ＩＰ(Internet Protocol)制御部１０８に接続されており、さらに、ＴＣＰ／ＵＤＰ／ＩＰ制御部１３０は、情報通信装置１内のネットワークインタフェース（以下、Ｉ／Ｆと呼ぶ）１４０に接続される。
【００４８】
システム制御部２０は、情報通信装置１の統括的な制御を行い、指示された通信相手に公衆電話回線網２を使用したファクシミリ通信のオプション機能が設定されているか否かを判別する機能を有する。
【００４９】
スキャナ部３０は、所定の解像度で配置された原稿を読み取り、デジタルの画像情報を得る。
【００５０】
画像蓄積部４０は、スキャナ部３０から読み込まれた画像や、外部から受信した画像等を蓄積する。
【００５１】
プリンタ部５０は、画像情報を用紙に印刷出力する。
【００５２】
操作／表示部６０は、情報通信装置１のユーザインタフェースであり、液晶のタッチパネルおよびテンキー等の各種操作キーで構成される。
【００５３】
ＲＡＭ７０は、公衆電話回線網２を使用したファクシミリ通信のオプション機能の設定情報（請求項１、３、５、６、７、８、９、１０に記載の固有制御情報に対応する）や情報通信装置１のシステムデータ等を記憶するメモリである。
【００５４】
公衆電話回線網２を使用したファクシミリ通信のオプション機能の詳細については後で説明する。
【００５５】
Ｆａｘ部８０は、公衆電話回線網２を使用したファクシミリ通信の処理を行い、通信画像処理部８１、Ｔ３０制御部８２、モデム８３、ＮＣＵ８４を備える。
【００５６】
通信画像処理部８１は、ファクシミリ送信時に受信側の能力に合わせて画像の解像度、サイズ、符号則等を変換する処理を行う。
【００５７】
Ｔ３０制御部８２は、ＩＴＵ−Ｔ勧告Ｔ．３０が規定するファクシミリのプロトコル制御を行う。
【００５８】
モデム８３は、アナログ信号とデジタル信号の変復調を行う。
【００５９】
ＮＣＵ８４は、構内電話回線４との接続制御を行う。
【００６０】
また、ＤＮＳ処理部９０は、通信相手のＥ．１６４に基づく電話番号に基づき、ＤＮＳサーバ７より受信するＮＡＰＴＲ−ＲＲ情報に基づき通信相手の通信種別とアドレスとを得る処理を行う。
【００６１】
トランスポートプロトコル処理部１００は、ＨＴＴＰ(HyperText Transfer Protocol)やＳＩＰ(Session Initiation Protocol)などのプロトコルを処理し、ＥＮＵＭ更新情報の通信を行う。
【００６２】
電子メールＩＦａｘ部１１０は、ＩＴＵ−Ｔ勧告Ｔ．３７に基づく、電子メールを使用したインターネットファクシミリ通信の処理を行い、通信画像処理部１１１、Ｔ３７制御部１１２、ＳＭＴＰ(Simple Mail Transfer Protocol)制御部１１３を備える。
【００６３】
通信画像処理部は、画像の解像度、サイズ等を変換する処理を行う。
【００６４】
Ｔ３７制御部１１２は、ＩＴＵ−Ｔ勧告Ｔ．３７が規定するインターネットファクシミリのプロトコル制御を行う。
【００６５】
ＳＭＴＰ制御部１１３は、電子メールの送受信制御を行う。
【００６６】
また、リアルタイムＩＦａｘ部１２０は、ＩＴＵ−Ｔ勧告Ｔ．３８に基づく、リアルタイムのインターネットファクシミリ通信の処理を行い、通信画像処理部１２１、Ｔ３０制御部１２２、Ｔ３８制御部１２３を備える。
【００６７】
通信画像処理部１２１は、画像の解像度、サイズ等を変換する処理を行う。
【００６８】
Ｔ３０制御部１２２は、ＩＴＵ−Ｔ勧告Ｔ．３０が規定するファクシミリのプロトコル制御を行う。
【００６９】
Ｔ３８制御部１２３は、ＩＴＵ−Ｔ勧告Ｔ．３８が規定するリアルタイムにインターネットファクシミリ通信を行うプロトコルの制御を行う。
【００７０】
また、ＴＣＰ／ＵＤＰ／ＩＰ制御部１０８は、インターネットのトランスポートレイヤとネットワークレイヤのプロトコル制御を行い、ＤＮＳ制御部９０、トランスポートプロトコル処理部１００、電子メールＩＦａｘ部１１０、リアルタイムＩＦａｘ部１２０、ネットワークＩ／Ｆ部１４０と接続される。
【００７１】
ネットワークＩ／Ｆ１４０は、構内ネットワーク５を通じてインターネット上のＤＮＳサーバ７やインターネット６上の通信相手と情報の授受を行う。
【００７２】
このように構成される情報通信装置１は、公衆電話回線網２を使用したファクシミリ通信が行われるときには、Ｆａｘ部８０により画像の送受信が行われ、また、インターネットファクシミリ通信が行われるときには、電子メールＩＦａｘ部１１０或いはリアルタイムＩＦａｘ部１２０により画像の送受信が行われる。
【００７３】
また、ＥＮＵＭ技術が利用される場合には、ＤＮＳ処理部９０により通信相手の通信種別とアドレスとが得られる。
【００７４】
そして、情報通信装置１は、ＲＡＭ７０上に、公衆電話回線網２を使用したファクシミリ通信のオプション機能の設定が記憶されている通信相手に対する通信を、ＥＮＵＭ技術によって通信料金の安いインターネットファクシミリ通信でなく、優先的に公衆電話回線網２を使用したファクシミリ通信によって画像送信する。
【００７５】
次に、公衆電話回線網２を使用したファクシミリ通信のオプション機能が短縮ダイヤルの通信相手に登録される様子について図２を参照して説明を行う。
【００７６】
図２は、公衆電話回線網２を使用したファクシミリ通信のオプション機能の一つである親展通信が短縮ダイヤルの通信相手に登録される際の操作／表示部６０の液晶タッチパネルの画面構成図であり、図２（ａ）は短縮番号００１の内容が表示された操作／表示部６０の液晶タッチパネルの画面構成図であり、図２（ｂ）は短縮番号００１に設定される親展通信に関する情報が表示された操作／表示部６０の液晶タッチパネルの画面構成図である。
【００７７】
図２（ａ）に示すように、通信を行う前に予め、情報通信装置１の操作／表示部６０の液晶タッチパネルがユーザに使用されて、通信相手のファクシミリ番号が短縮番号「００１」に登録される。
【００７８】
短縮番号には、通信相手の電話番号を入力することができ、また、公衆電話回線網２を使用したファクシミリ通信が行われるときに（以下、電話回線を使用したファクシミリ通信と略す）電話回線を使用したファクシミリ通信で利用可能な各種オプション機能を使用して画像送信が行われるように、予め登録することができる。
【００７９】
例えば、図２（ａ）に示すように、短縮番号「００１」に通信相手の電話番号が入力され、電話回線を使用したファクシミリ通信のオプション機能である親展通信の設定が可能である。
【００８０】
図２（ａ）に示す液晶タッチパネルの画面より親展通信が「する」に選択される、図２（ｂ）に示すように親展通信に関する詳細の設定が可能な画面が表示される。
【００８１】
図２（ｂ）に示す詳細設定の画面で親展通信の詳細が設定される。
【００８２】
このように短縮ダイヤルの設定が行われると、設定された短縮ダイヤルの設定情報はＲＡＭ７０に記憶される。
【００８３】
次に、ＲＡＭ７０に記憶される情報であって、電話回線を使用したファクシミリ通信のオプション機能の設定情報を含めた短縮ダイヤルの設定情報について図３を参照して説明する。
【００８４】
図３は、ＲＡＭ７０に記憶される情報であって、電話回線を使用したファクシミリ通信のファクシミリ通信のオプション機能の設定情報を含めた短縮ダイヤルの設定情報について示した表である。
【００８５】
図３の表に示されるように、各短縮番号には、登録される電話番号と宛先名が記憶され、そして、電話回線を使用したファクシミリ通信のオプション機能であるパスワード通信、中継同報通信、親展通信、送信先部数指定通信、Ｆコード、Ｐコードによる通信についての設定内容が記憶される。
【００８６】
例えば、図３に示す短縮番号「００２」を例にして説明すると、電話番号は「０１２−３４５６−７８９０」、宛先名は「富士花子」、パスワード通信については「無」、中継同報通信については「中継局ＩＤ：ＡＡＡ」と記されＡＡＡの中継局に中継同報を行うように設定され、親展通信については「無」、送信先部数指定通信については「無」、Ｆコード、Ｐコード通信については「無」と設定されている。
【００８７】
このように設定された、短縮番号に記憶されるオプション機能に関する情報は、短縮ダイヤルの設定情報としてＲＡＭ７０に記憶され、ユーザが短縮ダイヤルを使用した画像送信の通信を行う際に使用される。
【００８８】
ここで、電話回線を使用したファクシミリ通信の数々のオプション機能について説明する。  電話回線を使用したファクシミリ通信のオプション機能であるパスワード通信とは、誤送信を防ぐ為のパスワード指示が行われて、通信相手端末のＩＤ番号と一致したときにだけ送信を行う機能である。  また、電話回線を使用したファクシミリ通信のオプション機能である中継同報通信とは、中継局である他のファクシミリ装置を介して複数の通信相手に画像送信する機能であり、通信相手が遠距離にある場合にはその一つを中継局にしてそこから数箇所に同報通信することにより（複数の中継局を経由する）通信料金を軽減することも可能である。  また、電話回線を使用したファクシミリ通信のオプション機能である親展通信とは、特定の人以外に見られたくない画像を送受信する機能であり、相手先の親展ボックス番号や暗証番号を指定する事により特定の人しか情報を見る事ができないようにすることができる。  また、電話回線を使用したファクシミリ通信のオプション機能である送信先部数指定通信とは、送信した画像を受信した側で指定された複数部だけ複写して出力する機能である。  また、電話回線を使用したファクシミリ通信のオプション機能であるＦコード、Ｐコードによる通信とは、ＩＴＵ−Ｔで標準化されたＴ．３０のサブアドレスの使い方について機械工業会が定めた通信手順であり、この手順を使用することで様々な機能を利用することができる。  このように、電話回線を使用したファクシミリ通信のオプション機能には、通信を便利にする数々の機能がある。  これらのオプション機能の情報は、通信相手とのファクシミリプロトコルの指示による通信により通信相手に送られ、その結果、これらのオプション機能による電話回線を使用したファクシミリ通信が実現される。  例えば、ＩＴＵ−Ｔ勧告のＴ．３０の勧告改訂によって可能となった、ＳＵＢ（サブアドレス）コマンドやＳＥＰ（選択ポーリング）コマンド等の信号による通信によって実現される。
【００８９】
ユーザは、料金の安いインターネットファクシミリ通信よりも、このオプション機能を使用した電話回線を使用してファクシミリ通信を所望するケースがあり、情報通信装置１はＥＮＵＭ技術を使用できる通信装置であっても、このケースにおいて料金の安いインターネットファクシミリ通信が選択されることなく電話回線を使用したファクシミリ通信でオプション機能による画像送信を行うことができる。
【００９０】
次に、短縮ダイヤルが使用されて画像送信指示が行われる様子について図４を参照して説明を行う。
【００９１】
図４は、ユーザが画像送信指示を行う際に、操作／表示部６０の液晶タッチパネルに表示される短縮ダイヤルの表示画面を示した画面構成図である。
【００９２】
図４に示すように、短縮ダイヤルが使用されて送信先が指示されるときには、短縮ダイヤルとして登録された短縮番号と宛先と電話番号だけが短縮番号毎に表示される（参照番号４０１）。
【００９３】
ユーザはこのように表示される中から、短縮番号を選択して、送信先を指示する。
【００９４】
今までのＥＮＵＭ技術が利用された情報通信装置だと、このように短縮ダイヤルで送信先が指示された場合には、短縮ダイヤルに電話回線を使用したファクシミリ通信のオプション機能が設定されていても、ＥＮＵＭ技術が使用されて通信料金の安いインターネットファクシミリ通信によって画像送信が行われていた。
【００９５】
しかも、短縮ダイヤルが選択される際に操作／表示部６０に表示される画面には、各短縮ダイヤルにオプション機能の設定の有無は表示されないので、ユーザはオプション機能が無視されて送信されたことに気付かない。
【００９６】
情報通信装置１では、短縮ダイヤルに電話回線を使用したファクシミリ通信のオプション機能が設定されていた場合には、優先的に電話回線を使用したファクシミリ通信が行われるので、ユーザが所望した電話回線を使用したファクシミリ通信のオプション機能が無視されることなく画像送信が行われる。
【００９７】
次に、通信相手の指示が短縮ダイヤルではなくテンキーが使用されて電話番号が一つずつ入力される場合に、電話回線を使用したファクシミリ通信のオプション機能が入力される様子について図５を参照して説明を行う。
【００９８】
図５は、ユーザが画像を送信する際に、テンキーを使用して通信相手の電話番号を一つずつ入力して電話回線を使用したファクシミリ通信のオプション機能の入力が行われる様子を示した操作／表示部６０の液晶タッチパネルの画面構成図であり、図５（ａ）は選択されるオプション機能が表示された液晶タッチパネルの画面構成図であり、図５（ｂ）はオプション機能の一つである親展通信の詳細設定の様子が表示された液晶タッチパネルの画面構成図である。
【００９９】
図５（ａ）に示すように、操作／表示部６０の液晶タッチパネルには、テンキーが使用されて通信相手の電話番号が入力されて（参照番号５０１）、ユーザがオプションタブを選択することにより電話回線を使用したファクシミリ通信におけるオプション機能の設定項目が表示される（参照番号５０２）。
【０１００】
そして、ユーザがオプション機能の一つを選択すると、図５（ｂ）に示すように、ユーザが選択したオプション機能の詳細設定が行われる画面が表示される。
【０１０１】
このように、ユーザが選択したオプション機能の詳細設定が行われると、設定されたオプション機能の設定情報はＲＡＭ７０に記憶され、その設定情報は通信処理が行われる際に使用される。
【０１０２】
次に、通信情報装置１において、画像送信が行われる処理について図６を参照して説明を行う。
【０１０３】
図６は、情報通信装置１で画像送信が行われる処理を示したフローチャートである。
【０１０４】
まずユーザは、送信する原稿をスキャナ部３０に配置して、操作／表示部６０より通信相手を指示し、画像送信ボタンを押下することで、原稿の画像情報送信指示を行う。
【０１０５】
通信相手の指示は、テンキーを使って電話番号が一つずつ入力される、或いは、短縮ダイヤルによって行われる。
【０１０６】
ユーザは、テンキーで電話番号を一つずつ入力して通信相手を指示した時には、図５を参照して説明したように、電話回線を使用したファクシミリ通信のオプション機能も液晶のタッチパネルより入力することができる。
【０１０７】
ユーザによって行われた送信指示が情報通信装置１で受け付けられると（ステップ６０１）、スキャナ部３０に配置された原稿が読み取られ、読み取られた画像情報は画像蓄積部４０に記憶される（ステップ６０２）。
【０１０８】
そして、システム制御部２０によって、ユーザが行った通信相手の指示はテンキーを使って電話番号が一つずつ入力されるか短縮ダイヤルによって行われたかが確認される（ステップ６０３）。
【０１０９】
短縮ダイヤルを使って行われた場合には（ステップ６０３でＹＥＳ）、システム制御部２０は、ＲＡＭ７０に記憶される短縮ダイヤルの設定情報の中からオプション機能の設定情報を読み出す試みをする（ステップ６０４）。
【０１１０】
また、通信相手の指示がテンキーによって電話番号が一つずつ入力される形式で行われた場合には（ステップ６０３でＮＯ）、システム制御部２０は、ＲＡＭ７０よりオプション機能の設定情報を読み出す試みをする（ステップ６０５）。
【０１１１】
ステップ６０４或いは６０５で電話回線を使用したファクシミリ通信のオプション機能の設定情報について読み出しの試みが行われて、該設定情報が読み出された場合には（ステップ６０６でＹＥＳ）、システム制御部２０が読み出したオプション機能の設定情報に基づき電話回線を使用したファクシミリ通信により画像送信が行われる（ステップ６０７）。
【０１１２】
また、ステップ６０４或いは６０５で電話回線を使用したファクシミリ通信のオプション機能の設定情報について読み出しの試みが行われて、該設定情報の読み出しが行われなかった場合には（ステップ６０６でＮＯ）、情報通信装置１は、ＤＮＳ処理部９０がＤＮＳサーバ７にアクセスし、指示された通信相手の電話番号に対応するＵＲＩを取得する（ステップ６０８）。
【０１１３】
そして、ＤＮＳがＵＲＩを取得した結果、通信相手にインターネットファクシミリ通信の通信能力が確認されなかった場合には（ステップ６０９でＮＯ）電話回線を使用したファクシミリ通信によって画像を送信し、また、通信相手にインターネットファクシミリ通信の通信能力が確認された場合には（ステップ６０９でＹＥＳ）確認されたインターネットファクシミリ通信による画像送信が行われる（ステップ６１０）。
【０１１４】
このように、電話回線を使用したファクシミリ通信のオプション機能が設定されていた場合には電話回線を使用したファクシミリ通信によって画像送信が行われ、また、そのオプション機能が設定されていない場合にはＥＮＵＭ技術が使用された通信によって画像送信が行われる。
【０１１５】
次に、情報通信装置１の同報通信について、短縮ダイヤルによって同報通信が行われる場合について図７を参照して説明を行う。
【０１１６】
図７は、情報通信装置１において短縮ダイヤルによって選択された通信相手に同報通信が行われる場合について示した図であり、図７（ａ）は短縮ダイヤルの設定情報について示した表であり、図７（ｂ）は短縮ダイヤルによって通信相手が複数選択されて同報通信が行われる場合の液晶タッチパネルの画面を示した模式図であり、図７（ｃ）は短縮ダイヤルとして登録されたグループが選択されて同報通信が行われる場合の液晶タッチパネルの画面を示した模式図である。
【０１１７】
同報通信が行われる場合の前提として、図７（ａ）に示すように短縮ダイヤルの設定情報には、短縮番号「００４」の「特許太郎」宛にはパスワード通信が設定されていて、短縮番号「００５」の「特許次郎」宛と短縮番号「００６」の「特許三郎」宛にはパスワード通信が設定されていないものとする。
【０１１８】
この図７（ａ）に示す設定が行われている場合に、図７（ｂ）に示すように、短縮番号の「００４」、「００５」、「００６」を選択するボタン（参照番号７０３、７０４、７０５）が押下られて通信相手の指示が行われて、一つの原稿を送る宛先が複数設定されると宛先欄に複数の通信相手が表示され（参照番号７０１）、この状態で画像送信ボタンが押下られると選択された複数の通信相手に原稿の画像情報が送信される。
【０１１９】
図７（ａ）に示したように短縮ダイヤルには電話回線を使用したファクシミリ通信のオプション機能が設定されている通信相手がある場合があるので、電話回線を使用したファクシミリ通信のオプション機能が設定されている通信相手か否かをシステム制御部２０が判別し、その通信相手に対してはＥＮＵＭ技術は使用されずに電話回線を使用したファクシミリ通信によって画像情報が送信される。
【０１２０】
また、通信相手で短縮ダイヤルに電話回線を使用したファクシミリ通信のオプション機能の設定が行われていない通信相手に対しては、ＥＮＵＭ技術が使用されて、通信可能な場合には料金の安いインターネットファクシミリ通信による画像送信が行われる。
【０１２１】
図７（ｂ）に示した例で具体的に説明すると、同報通信された短縮番号「００４」、「００５」、「００６」のうち、「００４」の通信相手に対してはオプション機能の設定が行われているから電話回線を使用したファクシミリ通信により画像送信され、「００５」、「００６」の通信相手に対してはＥＮＵＭ技術を使用した通信による画像送信が行われる。
【０１２２】
また、短縮ダイヤルにグループとして複数の通信相手が登録された例として、図７（ｃ）に示すように短縮ダイヤルに「グループ００１」という短縮番号に３人の通信相手が登録されていてそのグループが選択された場合には、通信相手の表示欄に「グループ００１」に登録される複数の通信相手が表示される（参照番号７０２）。
【０１２３】
「グループ００１」には、短縮番号「００４」、「００５」、「００６」の通信相手が登録されている。
【０１２４】
「グループ００１」が通信相手として指示されて画像送信ボタンが押下されると、電話回線を使用したファクシミリ通信のオプション機能が設定されている通信相手か否かをシステム制御部２０が判別し、「００４」の通信相手にはオプション機能が設定されているので「００４」の通信相手に対しては電話回線を使用したファクシミリ通信によって画像送信が行われ、また、「００５」、「００６」の通信相手にはオプション機能が設定されていないので、「００５」、「００６」の通信相手に対してはＥＮＵＭ技術を使用した通信による画像送信が行われる。
【０１２５】
このように、情報通信装置１の同報通信について短縮ダイヤルが使用されて行われる場合には、短縮ダイヤルに電話回線を使用したファクシミリ通信のオプション機能が設定されている場合には電話回線を使用したファクシミリ通信により画像送信が行われ、また、短縮ダイヤルに電話回線を使用したファクシミリ通信のオプション機能が設定されていない場合にはＥＮＵＭ技術を使用した通信による画像送信が行われる。
【０１２６】
次に、情報通信装置１の同報通信について、短縮ダイヤルではなくテンキーによって通信相手の電話番号が一つずつ入力された場合について図８を参照して説明を行う。
【０１２７】
図８は、テンキーによって通信相手の電話番号が一つずつ入力されて同報通信が行われる様子を示した図であり、図８（ａ）は１件目の通信相手の電話番号が入力される液晶タッチパネルの画面構成図を示した模式図であり、図８（ｂ）は２件目の通信相手の電話番号が入力される液晶タッチパネルの画面構成図を示した模式図であり、図８（ｃ）は３件目の通信相手の電話番号が入力される液晶タッチパネルの画面構成図を示した模式図であり、図８（ｄ）は画像送信ボタンが押下された後に行われる通信について示した図である。
【０１２８】
図８（ａ）に示すように、テンキーによって一つずつ入力された１件目の通信相手に対しては（参照番号８０１）電話回線を使用したファクシミリ通信のオプション機能のひとつであるパスワード通信が設定されている（参照番号８０２）。
【０１２９】
次に、図８（ｂ）に示すように、テンキーが使用されて２件目の通信相手の電話番号が一つずつ入力される（参照番号８０３）。
【０１３０】
２件目の通信相手に対しては、１件目の通信相手とは違って、電話回線を使用したファクシミリ通信のオプション機能の設定はなされていない。
【０１３１】
次に、図８（ｃ）に示すように、テンキーが使用されて３件目の通信相手の電話番号が一つずつ入力される（参照番号８０４）。
【０１３２】
３件目の通信相手に対しても、電話回線を使用したファクシミリ通信のオプション機能の設定はなされていない。
【０１３３】
このように、テンキーによって通信相手の電話番号が一つずつ入力されて３件の通信相手が指示されて画像送信ボタンが押下されると、指示された３件の通信相手に対して同報通信が行われる。
【０１３４】
その際、電話回線を使用したファクシミリ通信のオプション機能が設定されている通信相手か否かをシステム制御部２０が判別し、電話回線を使用したファクシミリ通信のオプション機能の設定が行われた通信相手には電話回線を使用したファクシミリ通信によって画像送信が行われ、また、そのオプション機能の設定が行われかった通信相手に対してはＥＮＵＭ技術を使用した通信による画像送信が行われる。
【０１３５】
図８（ａ）、（ｂ）（ｃ）に示した例で具体的に説明すると、図８（ａ）で示した１件目の通信相手に対しては電話回線を使用したファクシミリ通信のオプション機能が設定されているので電話回線を使用したファクシミリ通信によって画像送信が行われ、図８（ｂ）、（ｃ）で示した２件目と３件目の通信相手に対してはＥＮＵＭ技術を使用した通信による画像送信が行われる（図８（ｄ））。
【０１３６】
次に、中継同報が行われる場合について図９を参照して説明を行う。
【０１３７】
図９は、情報通信装置１が使用されて中継同報のファクシミリ通信が行われる様子を示した図である。
【０１３８】
図９に示すように、Ｔ都市９０１、Ｏ都市９０２、Ｋ都市９０３にはそれぞれ情報通信装置１が設置されており、そして、通信相手となる「花子」、「二姫」はＯ都市９０２が中継局となる場所に位置して通信装置を備え、また、通信相手となる「三姫」、「四姫」はＫ都市９０３が中継局となる場所に位置して通信装置を備える。
【０１３９】
「花子」、「二姫」、「三姫」、「四姫」の通信装置は、それぞれインターネットファクシミリ通信が可能な通信装置である。
【０１４０】
画像情報はＴ都市９０１にある情報通信装置１から「花子」、「二姫」、「三姫」、「四姫」宛に送信される。
【０１４１】
そして、Ｔ都市９０１にある情報通信装置１には、図１０（ａ）に示すように、宛先「花子」、「二姫」、「三姫」、「四姫」への中継同報をＯ都市の９０２の情報通信装置に指示する設定が短縮ダイヤルに登録されている。  図１０（ａ）は、Ｔ都市９０１の情報通信装置１に設定される短縮ダイヤルの設定情報を示す表である。
【０１４２】
なお、中継局ＩＤがＸＸＸはＴ都市９０１にある情報通信装置１を指し、中継局ＩＤがＡＡＡはＯ都市９０２にある情報通信装置１を指し、また、中継局ＩＤがＢＢＢはＫ都市９０３にある情報通信装置１を指す。
【０１４３】
Ｏ都市９０２にある情報通信装置１には、宛先「花子」、「二姫」が登録されており、図１０（ｂ）に示すように、「二姫」の短縮ダイヤルには、電話回線を使用したファクシミリ通信のオプション機能の設定は行われておらず（参照番号１００１）、「花子」の短縮ダイヤルには電話回線を使用したファクシミリ通信のオプション機能の親展送信の設定が行われている（参照番号１００２）。  宛先「三姫」、「四姫」への送信はＫ都市９０３の情報通信装置１へ中継同報送信を指示設定が短縮ダイヤルに登録されている（参照番号１００３）。  図１０（ｂ）は、Ｏ都市９０２の情報通信装置１に設定される短縮ダイヤルの設定情報を示す表である。
【０１４４】
Ｋ都市９０３にある情報通信装置１には、宛先「四姫」、「三姫」が登録されており、図１０（ｃ）に示すように、「四姫」の短縮ダイヤルには、電話回線を使用したファクシミリ通信のオプション機能の設定は行われておらず（参照番号１００４）、「三姫」の短縮ダイヤルには電話回線を使用したファクシミリ通信のオプション機能の送信部数指定の設定が行われている（参照番号１００５）。  図１０（ｃ）は、Ｋ都市９０３の情報通信装置１に設定される短縮ダイヤルの設定情報を示す表である。
【０１４５】
このように設定が行われた状況で、Ｔ都市９０１の情報通信装置１から「花子」、「二姫」、「三姫」、「四姫」に対して同報通信が行われた場合について説明する。
【０１４６】
中継送信先であるＯ都市９０２の情報通信装置１に画像情報が送信されると共に、Ｏ都市９０２の短縮ダイヤルの００２，００３，００４に登録されている宛先への送信指示が送られる。
【０１４７】
Ｏ都市９０２の情報通信装置１のＦａｘ部８０は、画像情報と、短縮ダイヤルの００２，００３，００４に登録されている宛先への送信指示を受信する。
【０１４８】
Ｏ都市９０２の情報通信装置１では、短縮ダイヤル００３の「二姫」に対しては電話回線を使用したファクシミリ通信のオプション機能が設定されていないので、画像情報はＥＮＵＭ技術を使用して、インターネットファクシミリによる送信が可能な送信先情報が取得できた場合にはインターネットファクシミリで送信する。
【０１４９】
短縮ダイヤル００２の「花子」に対しては、電話回線を使用したファクシミリ通信のオプション機能である「親展通信」が設定されているので、ＥＮＵＭ技術を使用せず、電話回線を使用したファクシミリ送信を行う。
【０１５０】
短縮ダイヤル００４に対しては、Ｋ都市９０３の情報通信装置への中継同報指示が設定されているので、ＥＮＵＭ技術を使用せず、電話回線を使用したファクシミリ送信を行う。
【０１５１】
Ｋ都市９０３の情報通信装置１では、短縮ダイヤル００３の「四姫」に対しては電話回線を使用したファクシミリ通信のオプション機能が設定されていないので、画像情報はＥＮＵＭ技術を使用して、インターネットファクシミリによる送信が可能な送信先情報が取得できた場合にはインターネットファクシミリで送信する。
【０１５２】
短縮ダイヤル００２の「三姫」に対しては、電話回線を使用したファクシミリ通信のオプション機能である「送信部数」が設定されているので、ＥＮＵＭ技術を使用せず、電話回線を使用したファクシミリ送信を行う。
【０１５３】
このように、中継同報通信（Ｏ都市９０２のリレー中継同報通信を含む）においても、宛先に電話回線を使用したファクシミリ通信のオプション機能が設定されている場合には電話回線を使用したファクシミリ通信による画像送信が行われ、宛先に電話回線を使用したファクシミリ通信のオプション機能が設定されていない場合にはＥＮＵＭ技術を使用した画像送信が行われる。
【産業上の利用可能性】
【０１５４】
この発明は、通信装置および通信システムにおいて利用可能である。
【０１５５】
また、上記実施の形態の機能を実現するためのソフトウェアのプログラムが記録されている記録媒体を供給し、通信装置などで記憶媒体に格納されたプログラムを読み出し実行することによっても、上記実施の形態と同様の効果を奏する。
【０１５６】
プログラムを供給するための記憶媒体としては、例えば、ＣＤ−ＲＯＭ、ＤＶＤ、及びＳＤカードなどや、プログラムを提供するサーバーなどであっても良い。
【図面の簡単な説明】
【０１５７】
【図１】情報通信装置１の構成を示すブロック図。
【図２】オプション機能が短縮ダイヤルの通信相手に登録される液晶タッチパネルの画面構成図。
【図３】短縮ダイヤルの設定情報を示した表。
【図４】短縮ダイヤルが使用されて画像送信指示が行われる液晶タッチパネルの画面構成図。
【図５】通信相手の電話番号が一つずつ入力される液晶タッチパネルの画面構成図。
【図６】情報通信装置１で画像送信が行われる処理を示すフローチャート。
【図７】短縮ダイヤルによって選択された通信相手に同報通信が行われる図。
【図８】通信相手の電話番号が一つずつ入力されて同報通信が行われる図。
【図９】情報通信装置１が使用されて中継同報通信により画像送信が行われる図。
【図１０】各都市の情報通信装置１に設定される短縮ダイヤルの設定情報を示す表。
【符号の説明】
【０１５８】
１    情報通信装置
２    公衆電話回線網
３    構内交換機
４    構内電話回線
５    構内ネットワーク
６    インターネット
７    ＤＮＳサーバ
１０    バス
２０    システム制御部
３０    スキャナ部
４０    画像蓄積部
５０    プリンタ部
６０    操作／表示部
７０    ＲＡＭ
８０    Ｆａｘ部
８１    通信画像処理部
８２    Ｔ３０制御部
８３    モデム
８４    ＮＣＵ
９０    ＤＮＳ処理部
１００    トランスポートプロトコル処理部
１１０    電子メールＩＦａｘ部
１１１    通信画像処理部
１１２    Ｔ３７制御部
１１３    ＳＭＴＰ制御部
１２０    リアルタイムＩＦａｘ部
１２１    通信画像処理部
１２２    Ｔ３０制御部
１２３    Ｔ３８制御部
１３０    ＴＣＰ／ＵＤＰ／ＩＰ制御部
１４０    ネットワークＩ／Ｆ
９０１    Ｔ都市
９０２    Ｏ都市
９０３    Ｋ都市
【図１】
2008193200.tif 000003
【図２】
2008193200.tif 000004
【図３】
2008193200.tif 000005
【図４】
2008193200.tif 000006
【図５】
2008193200.tif 000007
【図６】
2008193200.tif 000008
【図７】
2008193200.tif 000009
【図８】
2008193200.tif 000010
【図９】
2008193200.tif 000011
【図１０】
2008193200.tif 000012